(57)【要約】【課題】外出時に忘れず持っていくものを簡単に検出し、知らせる。【解決手段】ＩＤタグ検知手段１と、ＩＤタグ登録手段３と、報知手段２と、ＩＤタグ４を備え、外出時に利用者の操作なしで、忘れている持ち物を検知して、音声と文字表示で報知することができるものである。【選択図】図１
2006011501.tif 000002
【特許請求の範囲】
【請求項１】
登録されたＩＤタグを検知し、利用者の特定と検知できなかったＩＤタグを検出するＩＤタグ検知手段と、検知できないＩＤタグのあるときにＩＤタグの登録情報と照合し、持ち物名を検出するＩＤタグ照合手段と、検知できないＩＤタグのあるときに利用者に忘れ物があることを知らせる報知手段と、忘れたくない持ち物に付けたＩＤタグの識別情報を登録するＩＤタグ登録手段とを備えてなる忘れ物検出装置。
【請求項２】
ＩＤタグ検知手段は、忘れてはいけない持ち物に取り付けたＩＤタグをＲＦＩＤタグリーダーによって検知し、読み取った識別コードから利用者を特定することを特徴とする請求項１に記載の忘れ物検出装置。
【請求項３】
ＩＤタグ照合手段は、特定した利用者の検知できなかったＩＤタグコード情報を、利用者のＩＤタグ登録情報と照合して忘れ物を検出することを特徴とする請求項１に記載の忘れ物検出装置。
【請求項４】
報知手段は、上記、ＩＤタグ検知手段より、利用者のＩＤタグがすべて検知されたこと、あるいは検知できなかったＩＤタグが示す持ち物の情報を受け取り、利用者に忘れ物の有無を音声で報知するための音声報知手段と、忘れ物を文字で知らせるための文字表示手段を備えたことを特徴とする請求項２または３に記載の忘れ物検出装置。
【請求項５】
ＩＤタグ登録手段は、事前に外出時に忘れず持っていきたい物を検出し、報知するために持ち物に取り付けるＩＤタグのコードに持ち物名を添付し識別情報として登録することを特徴とする請求項１に記載の忘れ物検出装置。
【請求項６】
請求項１〜５のいずれか１項記載の忘れ物検出装置の少なくとも一部をコンピュータに実現させるプログラム。
【発明の詳細な説明】
【技術分野】
【０００１】
本発明は外出する時に、あらかじめ登録しておいた物を持っていない時に知らせることを目的に、ＩＤタグおよびＲＦＩＤタグリーダーを検出に利用し、検出できなかったＩＤタグの登録情報から持ち物を個別認識して音声と文字で知らせ、忘れ物を防止する忘れ物検出装置に関するものである。
【背景技術】
【０００２】
従来、この種の装置としては、特許文献１に開示されている「飲食店の忘れ物検出システム」などがある。これは客が料金を精算する際に、座席に手荷物を忘れたときに報知することを目的にしたものである。図５はその構成を示すもので、検出手段２９と、精算用ＩＤカード３０、報知手段３３と、読み取り手段３５からなる。
【特許文献１】特開２００１−１９５６６３号公報
【発明の開示】
【発明が解決しようとする課題】
【０００３】
朝の通勤時、バスや電車に乗ろうとして定期券を忘れてきたことに気付いたり、ビジネスマンにとって手放せないシステム手帳や携帯電話などのうっかり忘れや、子どもが玄関の鍵を持って出かけず帰って来ても家に入れなかったなど、持ち物のうっかり忘れは高齢者のみならず経験することである。が、あわただしい外出時の持ち物点検、ついうっかり忘れるのである。
【０００４】
しかしながら、前記従来の構成では、潜在ニーズとして高い一般家庭への応用には難しく、活用範囲が限られるという課題を有している。
【０００５】
本発明は、前記従来の課題を解決するもので、出かける前に本装置に近づくだけでその人が持っていかないといけない物を検出し、忘れている物がある時に知らせてくれるので、あわただしい外出時の持ち物点検や出かけてから途中で気付いて取りに戻ったり、出かけた先で困ることなどをなくし、安心感を提供することができるものである。
【課題を解決するための手段】
【０００６】
前記従来の課題を解決するために、本発明の忘れ物検出装置は、例えば玄関内などに設置し、ＩＤタグ検出手段により外出時に利用者の持ち物に取り付けたＩＤタグを検知し、ＩＤタグ登録情報照合手段で、事前の登録情報と照合して検知できなかったＩＤタグを検出して忘れ物のあること知らせるものである。これによって、出かける前に本装置に近づくだけで外出時に必要なものの持ち忘れを防ぐことができ、通勤途中で気付いて取りに戻ったり、出かけた先で困ることなどを解消することができる。
【０００７】
また、本発明の忘れ物防止装置は、検知されなかったＩＤタグをＩＤタグ登録情報と照合し、忘れ物の物品名を検出して文字で表示しすることにより、忘れ物が何であるかをより分かりやすくした。これによりあわただしい外出時の持ち物点検を合理的に行えるようにしたものである。
【発明の効果】
【０００８】
本発明の忘れ物検出装置は、外出時の利用者の操作を必要とせず、忘れ物がないかを点検できるので、出かけてから途中で気付いて取りに戻ったり、出かけた先で困ることを解消することができる。
【発明を実施するための最良の形態】
【０００９】
第１の発明は、ＩＤタグ検知手段により持ち物に取り付けたＩＤタグを検知し、ＩＤタグ個人特定手段により検知したＩＤタグから検出中の本人を特定したうえで、ＩＤタグ登録手段で事前に登録した持ち物情報検出中の本人のＩＤタグ登録情報と照合し、例えば検知できなかったＩＤタグのある場合に忘れ物のあることとその持ち物名を検出して、報知手段により音声と文字表示で報知するものである。
【００１０】
第２の発明は、ＲＦＩＤタグリーダーにより外出しようとする人のカバンや服のポケットなどに入れている持ち物に取り付けたＩＤタグを検知し、検知したＩＤタグコードから検出中の本人を特定するものである。
【００１１】
第３の発明は、前述の第２の発明により特定した検出中の本人のＩＤタグ登録情報と検知したＩＤタグを照合し、検知できなかったＩＤタグを検出することで、忘れ物を識別するものである。
【００１２】
第４の発明は、検知されなかったＩＤタグがある場合に、利用者に忘れ物のあることを音声報知手段により音声で知らせるとともに、ＩＤタグの識別コードを読み取って文字表示手段により忘れ物である物品名を文字で表示し、知らせることができるものである。
【００１３】
第５の発明は、事前の設定として、忘すれないように知らせてほしい持ち物に取り付けるＩＤタグのコードの識別情報を登録することにより、個人の持ち物として正確に検出し、具体的な持ち物名を報知することができるものである。
【００１４】
第６の発明は、第１〜第５の発明のいずれか１項記載の忘れ物検出装置の一部または全てをコンピュータに実現させるプログラムである。そして、プログラムであるので、電気・情報機器、コンピュータ、サーバー等のハードリソースを協働させて本発明の忘れ物検出装置の少なくとも一部を容易に実現することができる。また記録媒体に記録したり通信回線を用いてプログラムを配信したりすることでプログラムの配布・更新やそのインストール作業が簡単にできる。
【００１５】
以下、本発明の実施の形態について、図面を参照しながら説明する。なお、この実施の形態によって本発明が限定されるものではない。
【００１６】
（実施の形態１）
図１は、本発明の第１の実施の形態における忘れ物検出装置の全体構成図を示すものである。本構成は、ＩＤタグ検知手段１と、報知手段２と、ＩＤタグ登録手段３と持ち物に取り付けるＩＤタグ５とからなる。
【００１７】
図２は、ＩＤタグ登録手段３のブロック図で、ＩＤタグを識別するための識別コードを登録するコード情報登録手段３１と、持ち物名を検索する物品名テーブル３２と、登録したＩＤタグコードを記憶させるＩＤタグ登録情報記録手段３３で構成され、ＩＤタグ検知手段１と有機的に連携する。ＩＤタグ登録手段４は外出時に忘れては困る持ち物に取り付けるＩＤタグの識別コードとそれが示す情報を登録・記憶するもので、検知できないＩＤタグがあった場合にはそのＩＤタグの識別コードをＩＤタグ登録情報記録手段３３と照合し、検出する。
【００１８】
例えば、本装置を利用する家族が複数人いる場合に、検知されたＩＤタグには検出中の本人以外のＩＤタグも含まれていることもあるので、検出中の本人のものであるかを識別しなければならず、検出中の本人が誰であるかを特定する必要がある。
【００１９】
さらに検知されないＩＤタグが検出された場合に、携帯電話や鍵、財布など持ち物名を表示するための識別コードが必要となる。コード情報登録手段４１は、例えば、「誰」を表すグループ記号と物品名を表す数字によって、Ａさんの携帯電話に取り付けられた「ＩＤタグ１」は識別コードを「Ａ−１」、Ａさんのサイフに取り付けられた「ＩＤタグ２」は識別コードを「Ａ−２」、Ｂさんの携帯に取り付けられた「ＩＤタグ３」は識別コードを「Ｂ−１」、Ｂさんのサイフに取り付けられた「ＩＤタグ４」は識別コード「Ｂ−２」・・・というような登録方法が考えられる。
【００２０】
物品名テーブル３２は前述の持ち物名を登録するために対応する物品コードを検索するためのデータベースで一般的に出かけるときに持っていくと考えられる持ち物名を登録しておく。なお、物品名テーブル４２はＩＤタグ登録手段に内蔵せず、外部にあって通信で接続するようにしても良い。
【００２１】
ＩＤタグ登録情報記録手段４３は、コード情報登録手段４１および物品名テーブル４２により登録されたＩＤタグコードを記憶させておくもので、検知できないＩＤタグがあった場合にはそのＩＤタグの識別コードと照合し、検出するものである。
【００２２】
図３は、ＩＤタグ検知手段１のブロック図で、持ち物に取り付けられたＩＤタグを検知するＲＦＩＤタグリーダー１１と、識別コード中のグループ記号の数に注目して検出中の本人を特定するＩＤタグ個人特定手段１２と、ＩＤタグの識別コードを照合して忘れ物を検出するＩＤタグ照合手段１３で構成され、報知手段２およびＩＤタグ登録手段３と有機的に連携する。ＲＦＩＤタグリーダー１１は常に検知状態にあり、検知範囲内に入ってきたＩＤタグ５を検知すると、ＩＤタグ５はそれに反応してＩＤタグの識別コードをＲＦＩＤタグリーダー１１に送信する。
【００２３】
ＩＤタグ検知手段１は検知できないＩＤタグを検出した場合に、それが誰の何の持ち物であるかを識別するもので、前述のように、本装置を利用する家族が複数人いる場合、ＩＤタグ検知手段１によって検知されたＩＤタグには検出中の本人以外のＩＤタグも含まれていることになるので、ＩＤタグ登録情報記録手段３３と照合する際に検出中の本人が誰なのかを特定する必要がある。そのためにＩＤタグ個人特定手段１２はＲＦＩＤタグリーダー１１が受信したＩＤタグの識別コードの「誰」を識別するグループ記号を読み取り、最も数の多いグループ記号を検出して検出中の本人と特定する根拠とした。
【００２４】
ＩＤタグ照合手段１３は特定された検出中の本人の持ち物情報を記録してあるＩＤタグ登録情報記録手段３３と照合して検知中の本人の登録コードから検知されなかったＩＤタグを検出する。
【００２５】
図４は、報知手段２のブロック図で、ＩＤタグコード読み取り手段２１と、音声報知手段２２と、文字表示テーブル２３と、文字表示手段２４で構成され、ＩＤタグ検知手段１と有機的に連携する。ＩＤタグ検知手段１により検知されなかったＩＤタグが検出された場合、検知されなかったＩＤタグの識別コードをＩＤタグ識別コード読み取り手段２１が受け取り、音声報知手段３２により、例えば、「忘れ物があります」というような音声メッセージを報知させると同時に、持ち物名を示す物品コードに対応する物品名を文字表示テーブル２３から検索し、文字表示部２４に例えば「サイフ」というように表示されるもので、これにより利用者は忘れ物があることに気付き、同時に忘れ物が何なのかを知ることができる。
【００２６】
また、人がいることを検知する人体検出センサをＩＤタグリーダーに連動することで、人を検知して、ＩＤタグリーダーを稼動させることができ、省エネルギー化が図れる。
【００２７】
また、人体検出センサとして指紋や虹彩で個人認証が可能なバイオセンサを連動すれば、持ち物の検出プロセスが合理化し、より正確な検出が可能となる。
【００２８】
なお、本実施の形態で説明した手段は、ＣＰＵ（またはマイコン）、ＲＡＭ、ＲＯＭ、記憶・記録装置、Ｉ／Ｏなどを備えた電気・情報機器、コンピュータ等のハードリソースを協働させるプログラムの形態で実施してもよい。プログラムの形態であれば、磁気メディアや光メディアなどの記録媒体に記録したりインターネットなどの通信回線を用いて配信することで新しい機能の配布・更新やそのインストール作業が簡単にできる。
【産業上の利用可能性】
【００２９】
以上のように、本発明にかかる忘れ物検出装置は、外出時の利用者の操作を必要とせず、自動検出が可能となるので、倉庫の在庫管理や書庫の蔵書管理などにも活用できる。
【図面の簡単な説明】
【００３０】
【図１】本発明の実施の形態１における忘れ物検出装置の全体構成図
【図２】本発明の実施の形態１におけるＩＤタグ登録手段のブロック図
【図３】本発明の実施の形態１におけるＩＤタグ検知手段のブロック図
【図４】本発明の実施の形態１における報知手段のブロック図
【図５】従来の忘れ物検出システムのブロック図
【符号の説明】
【００３１】
１  ＩＤタグ検知手段
２  報知手段
３  ＩＤタグ登録手段
４  ＩＤタグ
１１  ＲＦＩＤタグリーダー
１２  ＩＤタグ個人特定手段
１３  ＩＤタグ照合手段
２１  ＩＤタグコード読み取り手段
２２  音声報知手段
２３  文字表示テーブル
２４  文字表示手段
３１  コード情報登録手段
３２  物品名テーブル
３３  ＩＤタグ登録情報記録手段
【図１】
2006011501.tif 000003
【図２】
2006011501.tif 000004
【図３】
2006011501.tif 000005
【図４】
2006011501.tif 000006
【図５】
2006011501.tif 000007